(57)【要約】【課題】  ＴＶ電話中に先ほど通信した内容を再生、保存することが可能な通信端末装置を得る。【解決手段】  ＴＶ電話時、通信相手からの動画及び音声データは親画面表示用メモリ１０に格納され、その動画データは表示部３の表示画面の第１の領域に表示され、カメラ５からの動画データは表示画面の第２の領域に表示されている。ここでユーザからの指示があると、その時点から所定時間遡った時点までの動画及び音声データをメモリ１０から切り出し、通信相手に送信すると共にその動画データを表示画面の第２の領域に表示する。【選択図】      図１                                                  
2005303397.tif 000002
【特許請求の範囲】
【請求項１】
テレビ電話による通信が可能な通信端末装置であって、
前記通信により受信される動画及び音声データを記憶する記憶手段と、
前記通信中に外部指示に応答して前記記憶手段から前記動画及び音声データの少なくとも一部を切り出す手段とを含むことを特徴とする通信端末装置。
【請求項２】
前記通信により受信される前記動画データを表示する表示手段を含み、前記表示手段は、前記切り出す手段により切り出された動画データを表示することを特徴とする請求項１記載の通信端末装置。
【請求項３】
前記切り出す手段により切り出された動画及び音声データを前記通信相手に送信するようにしたことを特徴とする請求項１又は２記載の通信端末装置。
【請求項４】
テレビ電話による通信が可能な通信端末装置の動作制御方法であって、
前記通信中に外部指示に応答して、前記通信により受信される動画及び音声データを記憶する記憶手段から前記動画及び音声データの少なくとも一部を切り出すステップを含むことを特徴とする動作制御方法。
【請求項５】
前記通信により受信される前記動画データを表示する表示手段に前記ステップにより切り出された動画データを表示するステップを含むことを特徴とする請求項４記載の動作制御方法。
【請求項６】
前記切り出すステップにより切り出された動画及び音声データを前記通信相手に送信するステップを含むことを特徴とする請求項４又は５記載の動作制御方法。
【請求項７】
テレビ電話による通信が可能な通信端末装置の動作制御方法をコンピュータに実行させるためのプログラムであって、
前記通信中に外部指示に応答して、前記通信により受信される動画及び音声データを記憶する記憶手段から前記動画及び音声データの少なくとも一部を切り出すステップを含むことを特徴とするプログラム。
【請求項８】
カメラ装置を有する端末装置であって、
前記カメラ装置により撮影される動画データを記憶する記憶手段と、
前記カメラ装置による撮影中に外部指示に応答して前記記憶手段から前記動画データの少なくとも一部を切り出す手段とを含むことを特徴とする端末装置。
【請求項９】
前記カメラ装置により撮影される前記動画データを表示する表示手段を含み、前記表示手段は、前記切り出す手段により切り出された動画データを表示することを特徴とする請求項８記載の端末装置。
【請求項１０】
カメラ装置を有する端末装置の動作制御方法であって、
前記カメラ装置による撮影中に外部指示に応答して、前記カメラ装置により撮影される動画データを記憶する記憶手段から前記動画データの少なくとも一部を切り出すステップを含むことを特徴とする動作制御方法。
【請求項１１】
前記カメラ装置により撮影される前記動画データを表示する表示手段に前記ステップにより切り出された動画データを表示するステップを含むことを特徴とする請求項１０記載の動作制御方法。
【請求項１２】
カメラ装置を有する端末装置の動作制御方法をコンピュータに実行させるためのプログラムであって、
前記カメラ装置による撮影中に外部指示に応答して、前記カメラ装置により撮影される動画データを記憶する記憶手段から前記動画データの少なくとも一部を切り出すステップを含むことを特徴とするプログラム。
【発明の詳細な説明】
【技術分野】
【０００１】
本発明は通信端末装置、端末装置、動作制御方法及びプログラムに関し、特にテレビ電話による通信が可能な通信端末装置に関する。
【背景技術】
【０００２】
近年、携帯電話機では、カメラモジュールが搭載され、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）通信方式を採用した第三世代携帯電話機が主流になってきており、また、携帯電話機のカメラを用いたＴＶ電話、動画の撮影も可能になってきている（例えば、特許文献１参照）。
【０００３】
【特許文献１】特開２００２−０２７１４５号公報（第２〜６頁、第１〜５図）
【発明の開示】
【発明が解決しようとする課題】
【０００４】
ＴＶ電話中に、通信相手の先ほどの話や風景などを再び確認したい、保存したいとユーザが希望することは多々あるが、従来はそのようなことはできなかった。また、カメラを用いた動画の撮影時にも、動画を撮影しながら先ほど撮影した内容をチェックできることが望まれる。
【０００５】
本発明の目的は、ＴＶ電話中に先ほど通信した内容を再生、保存することが可能な通信端末装置、その動作制御方法及びプログラムを提供することである。
【０００６】
本発明の他の目的は、動画の撮影中に先ほど撮影した内容を再生、保存することが可能な端末装置、その動作制御方法及びプログラムを提供することである。
【課題を解決するための手段】
【０００７】
本発明による通信端末装置は、テレビ電話による通信が可能な通信端末装置であって、前記通信により受信される動画及び音声データを記憶する記憶手段と、前記通信中に外部指示に応答して前記記憶手段から前記動画及び音声データの少なくとも一部を切り出す手段とを含むことを特徴とする。
【０００８】
本発明による動作制御方法は、テレビ電話による通信が可能な通信端末装置の動作制御方法であって、前記通信中に外部指示に応答して、前記通信により受信される動画及び音声データを記憶する記憶手段から前記動画及び音声データの少なくとも一部を切り出すステップを含むことを特徴とする。
【０００９】
本発明によるプログラムは、テレビ電話による通信が可能な通信端末装置の動作制御方法をコンピュータに実行させるためのプログラムであって、前記通信中に外部指示に応答して、前記通信により受信される動画及び音声データを記憶する記憶手段から前記動画及び音声データの少なくとも一部を切り出すステップを含むことを特徴とする。
【００１０】
本発明による端末装置は、カメラ装置を有する端末装置であって、前記カメラ装置により撮影される動画データを記憶する記憶手段と、前記カメラ装置による撮影中に外部指示に応答して前記記憶手段から前記動画データの少なくとも一部を切り出す手段とを含むことを特徴とする。
【００１１】
本発明による動作制御方法は、カメラ装置を有する端末装置の動作制御方法であって、前記カメラ装置による撮影中に外部指示に応答して、前記カメラ装置により撮影される動画データを記憶する記憶手段から前記動画データの少なくとも一部を切り出すステップを含むことを特徴とする。
【００１２】
本発明によるプログラムは、カメラ装置を有する端末装置の動作制御方法をコンピュータに実行させるためのプログラムであって、前記カメラ装置による撮影中に外部指示に応答して、前記カメラ装置により撮影される動画データを記憶する記憶手段から前記動画データの少なくとも一部を切り出すステップを含むことを特徴とする。
【００１３】
本発明では、テレビ電話による通信が可能な通信端末装置において、テレビ電話中にユーザからの指示に応答して、上記通信により受信される動画及び音声データを記憶する記憶手段から、その時点から所定時間遡った時点までの動画及び音声データを切り出すようにしている。
【００１４】
また、本発明では、カメラ装置を有する端末装置において、カメラ装置による撮影中にユーザからの指示に応答して、カメラ装置により撮影される動画データを記憶する記憶手段から、その時点から所定時間遡った時点までの動画データを切り出すようにしている。
【発明の効果】
【００１５】
本発明によれば、テレビ電話による通信が可能な通信端末装置において、テレビ電話通信中に外部指示に応答して、テレビ電話通信により受信される動画及び音声データを記憶する記憶手段から動画及び音声データの少なくとも一部を切り出すことによって、テレビ電話中に先ほど通信した内容を再生、保存することができるという効果が得られる。
【００１６】
また、本発明によれば、カメラ装置を有する端末装置において、カメラ装置による撮影中に外部指示に応答して、カメラ装置により撮影される動画データを記憶する記憶手段から動画データの少なくとも一部を切り出すことによって、動画の撮影中に先ほど撮影した内容を再生、保存することができるという効果が得られる。
【発明を実施するための最良の形態】
【００１７】
以下、本発明の実施例について図面を参照して説明する。
【００１８】
図１は本発明の実施例による携帯電話機の構成例を示すブロック図である。本発明の実施例による携帯電話機は、アンテナ１と、無線部２と、表示部３と、ＣＰＵ（Ｃｅｎｔｒａｌ  Ｐｒｏｃｅｓｓｉｎｇ  Ｕｎｉｔ）４と、カメラ部５と、ＤＳＰ（Ｄｉｇｉｔａｌ  Ｓｉｇｎａｌ  Ｐｒｏｃｅｓｓｏｒ）６と、子画面表示用メモリ７と、フラッシュメモリ８と、動画エンコードメモリ制御部９と、親画面表示用メモリ１０と、動画切り出し用メモリ１１と、スピーカ１２と、マイク１３とを有して構成される。
【００１９】
アンテナ１及び無線部２は、本携帯電話機と図示せぬ無線基地局との通信を行うため、通話信号を含む電波を送受信する。ＴＶ電話通信時はアンテナ１と無線部２を介して通信相手からの動画及び音声データの受信を行う。ＣＰＵ４は、無線部２との通信信号処理、フラッシュメモリ８へのデータの保存、カメラ部５の制御、表示部３の表示処理制御、ＤＳＰ６の制御、及びカメラ部５より送信されてきたデータの子画面表示用メモリ７への保存を行う。ＤＳＰ６は、ＴＶ電話通信相手からの多重化された動画及び音声データの分離及びデコード、カメラ部５により撮影された動画データ及びマイク１３からの音声データのエンコード及び多重化を行う。
【００２０】
動画エンコードメモリ制御部９は、ＴＶ電話通信相手からの動画及び音声データを保存するワークメモリエリアである親画面表示用メモリ１０と動画切り出し用メモリ１１のメモリ管理を行う。また、動画切り出し機能実行時に、動画切り出し用メモリ１１より動画データを子画面表示用メモリ７へコピーするメモリ制御を行う。
【００２１】
親画面表示用メモリ１０は、ＴＶ電話通信相手からの動画及び音声データを保存する領域である。親画面表示用メモリ１０の動画及び音声データはＴＶ電話時は、ＤＳＰ６により分離されそれぞれデコードされ、音声データはスピーカ１２から出力され、動画データは表示部３の親画面（表示画面の第１の領域）に表示される。動画切り出し用メモリ１１は、ＴＶ電話時に動画切り出し機能実行時から所定時間分遡った動画及び音声データを親画面表示用メモリ１０から切り出すための保存エリアである。
【００２２】
図３は親画面表示用メモリ１０と動画切り出し用メモリ１１について説明するための図である。図３に示すように、親画面表示用メモリ１０はＦＩＬＯ（ｆｉｒｓｔ  ｉｎ  ｌａｓｔ  ｏｕｔ）方式で動画エンコードメモリ制御部９により管理され、最も古い動画データから順次消去され、通信相手から送信されてくるＴＶ電話の更新画像データを順次保存していく。動画切り出し用メモリ１１も動画エンコードメモリ制御部９により管理され、動画切り出し時に全メモリ領域を消去して切り出されたデータを書き込む。なお、図３及び上の説明では動画データに着目して説明しているが、実際には親画面表示用メモリ１０の動画データは音声データと多重化されており、多重化された動画及び音声データが親画面表示用メモリ１０から切り出され動画切り出し用メモリ１１に書き込まれる。
【００２３】
フラッシュメモリ８は、切り出された動画データ等をユーザデータとして携帯電話端末内に保存するためのメモリである。表示部３は、ＴＶ電話時は通信相手からの動画データを親画面に、カメラ部５で撮影された自画像データを子画面（表示画面の第２の領域）に表示させる。また、動画切り出し機能実行時は子画面には切り出された動画データを表示させる。なお、ＴＶ電話時の表示部３の表示画面例が図４に示されている。また、切り出された動画及び音声データはアンテナ１及び無線部２を介してＴＶ電話通信相手に送信される。
【００２４】
次に、本発明の実施例の動作について図面を参照して説明する。図２は本発明の実施例による携帯電話機の動作を示すフローチャートである。
【００２５】
ＴＶ電話時、通信相手からの動画及び音声データは親画面表示用メモリ１０に格納され、その動画データは表示部３の親画面に表示され、音声データはスピーカ１２より出力されている。また、カメラ部５により撮影された動画データは、子画面表示用メモリ７に格納され表示部３の子画面に表示されると共に、マイク１３に入力された音声データと多重化されてアンテナ１及び無線部２を介してＴＶ電話通信相手に送信されている。
【００２６】
ＴＶ電話時において、図示せぬ操作部を用いてユーザにより任意のタイミングで動画切り出し機能実行指示がなされると（ステップＳ１）、動画エンコードメモリ制御部９は、その時点から所定時間分遡った動画及び音声データを親画面表示用メモリ１０から切り出し動画切り出し用メモリ１１にコピーする（ステップＳ２）。上記所定時間はユーザが指定することができ、その上限は動画切り出し用メモリ１１に保存可能な最大時間分である（動画切り出し用メモリ１１のメモリ容量は親画面表示用メモリ１０と同等以下である）。
【００２７】
次に、動画エンコードメモリ制御部９は、表示部３の子画面に切り出された動画データを表示すべく、動画切り出し用メモリ１１の動画データを子画面表示用メモリ７へコピーする。これにより、表示部３の子画面には切り出された動画データが表示される（ステップＳ３）。なお、このとき、ＴＶ電話通信相手からの音声がスピーカ１２より出力されているが、これに代えて切り出された音声データを出力するようにしてもよい。
【００２８】
また、動画切り出し用メモリ１１の切り出された動画及び音声データはアンテナ１及び無線部２を介して通信相手へ送信される（ステップＳ４）。なお、切り出された動画が再生終了すると、表示部３の子画面の表示はカメラ部５により撮影される動画データへ切り替わる。また、動画切り出し用メモリ１１の切り出された動画及び音声データは、ユーザ操作によりフラッシュメモリ８に保存可能である。
【００２９】
なお、図２に示したフローチャートに従った処理動作は、予めＲＯＭ等の記憶媒体に格納されたプログラムを、ＣＰＵ（制御部）となるコンピュータに読み取らせて実行せしめることにより、実現できることは勿論である。
【００３０】
以上説明したように本発明の実施例では、テレビ電話による通信が可能な携帯電話機において、ＴＶ電話中にユーザが指定したタイミングから任意の時間遡った動画及び音声データを親画面表示用メモリ１０から切り出すようにしているので、ＴＶ電話中につい今通信した内容を確認、保存することが可能となる。また、切り出された動画及び音声データを通信相手に送信することにより、その内容を自身と通信相手とで確認することができる。
【００３１】
なお、ＴＶ電話中ではないカメラ部５を用いた通常の動画撮影時に上述の動画切り出し機能を実行することにより、動画撮影時の撮影中動画の切り出しが可能である。通常の動画撮影時、カメラ部５により撮影された動画データは親画面表示用メモリ１０に格納され表示部３の親画面に表示されている。ここで、ユーザにより動画切り出し機能実行指示がなされると、図４のステップＳ２と同様に親画面表示用メモリ１０の動画データが切り出され、図４のステップＳ３と同様にその動画データが表示部３の子画面に表示されることになる。これにより、動画撮影中に、つい今撮影した内容を確認することが可能となる。
【００３２】
上述した通常の動画撮影時における動画切り出しは、携帯電話機に限られず、パーソナルコンピュータやＰＤＡ（Ｐｅｒｓｏｎａｌ  Ｄｉｇｉｔａｌ  Ａｓｓｉｓｔａｎｔｓ）等のカメラを有する端末装置にも適用できることは勿論である。
【図面の簡単な説明】
【００３３】
【図１】本発明の実施例による携帯電話機の構成例を示すブロック図である。
【図２】図１の携帯電話機の動作を示すフローチャートである。
【図３】図１の親画面表示用メモリと動画切り出し用メモリについて説明するための図である。
【図４】ＴＶ電話時の図１の表示部の表示画面例を示す図である。
【符号の説明】
【００３４】
１    アンテナ
２    無線部
３    表示部
４    ＣＰＵ
５    カメラ部
６    ＤＳＰ
７    子画面表示用メモリ
８    フラッシュメモリ
９    動画エンコードメモリ制御部
１０    親画面表示用メモリ
１１    動画切り出し用メモリ
１２    スピーカ
１３    マイク
【図１】
2005303397.tif 000003
【図２】
2005303397.tif 000004
【図３】
2005303397.tif 000005
【図４】
2005303397.tif 000006